(57)【特許請求の範囲】
【請求項１】
道路橋の継目部に設ける道路橋用伸縮継手であって、
各々上記継目部の長手方向に延び、上記道路橋の伸縮を許容する遊間を存して互いの板面が向かい合う一対の縦板と、
上記両縦板の頂面に掛け渡されて中央部が上記遊間に設けられ、両側部が上記両縦板の背面に保持されたシール板と、
上記両縦板各々に固定され、板面を横にして該縦板の背部に張り出したベースプレートと、
上記各ベースプレートの上に上記シール板の側部を介在させることなくボルトによって着脱自在に設置され、上記遊間側の縁が上記シール板の上記縦板頂面に掛けられた部分に被さるように設けられたフェイスプレートとを備えていることを特徴とする道路橋用伸縮継手。
【請求項２】
請求項１において、
上記フェイスプレートには、上記シール板の側部を上記縦板の背面に当てて保持するシール押さえが設けられていることを特徴とする道路橋用伸縮継手。
【請求項３】
請求項１又は請求項２において、
上記ベースプレートには、上記ボルトの頭部又は該ボルトに適用するナットを該ベースプレートの上からその下へ通すための大径孔部と、該ベースプレートの下に通されたボルト頭部又はナットを横移動させて上記フェイスプレート締付け位置に位置付けるための、該ボルト頭部又はナットよりも小径の小径孔部とを有する組付用孔が設けられ、
上記ベースプレートの下面には、上記ボルト又はナットに伸縮継手定着用コンクリートが付着しないように該ボルト又はナットを保護する、上記組付用孔に沿って延びた保護キャップが設けられていることを特徴とする道路橋用伸縮継手。
【発明の詳細な説明】
【技術分野】
【０００１】
本発明は、道路橋の継目部に設ける道路橋用伸縮継手に関する。
【背景技術】
【０００２】
道路橋用伸縮継手として、道路橋の継目部において各々継目部の長手方向に波状に曲折して延び且つ波形遊間が形成されるように対設された一対の波形板と、波形遊間からの漏水を防止するゴム製シール板とを備えたものは一般に知られている（特許文献１参照）。かかる伸縮継手においては、シール板の両側部が両側の波形板に対して、加硫接着により結合されている。また、このシール板を接着剤により波形板に結合することも行なわれている。
【０００３】
また、同文献１には、道路橋の伸縮を許容する遊間両側の道路橋端部にアンカーボルトを植設し、これにフェイスプレートを取り付けるようにした伸縮装置も記載されている。このものでは、シール板が上記遊間をまたぐように設けられてその両側部が遊間両側の道路橋端部に掛け渡され、その上に上記フェイスプレートが設置されている。
【０００４】
また、道路橋の端部にアングル板をアンカーによって固定し、アングル板の片側の垂直プレート部で道路橋端面を被い、反対側の水平プレート部に溶接ボルトを設けて、この水平プレート部にフェイスプレートを固定することも知られている（特許文献２参照）。シール板は、特許文献１の場合と同じく、遊間をまたぐように設けられてその両側部が上記水平プレート部の上に掛け渡され、その上に上記フェイスプレートが設置されている。
【特許文献１】特開昭６３−３１２４０３号公報
【特許文献２】特開２０００−１９９２０３号公報
【発明の開示】
【発明が解決しようとする課題】
【０００５】
ところで、昭和３０年代後半以降に建設された多くの道路橋は今後、架け替えの時期を順次迎えていく。しかし、その架け替えには多大な費用を要し、また、架け替えの間の交通規制による混乱も大きくなる。このため、最近は橋梁の延命化が叫ばれ、補強や補修によって道路橋の架け替え時期を延ばすことが要請されている。従って、道路橋用伸縮継手にあっても、そのような時代の要請に応えるべく、止水性が高く且つ堅牢な構造にすること、部品の交換によってその延命化が図ることができること、その部品交換を簡単なものにすること等が必要になる。
【０００６】
これに対して、特許文献１に記載されている伸縮継手の場合、シール板を波形板のような縦板に加硫接着させておいても、経年変化によってその接着力が低下していくことから、シール板が縦板から部分的に剥離して両者間に隙間を生じ、漏水する懸念がある。この漏水は、コンクリート桁、鋼桁、橋梁シュー等へ悪影響を及ぼす。
【０００７】
また、特許文献１のフェイスプレートをアンカーボルトによって道路橋端部に固定する構造では、堅牢性に欠ける憾みがある。特に車両の輪荷重によってシール板が圧縮されてフェイスプレートが上下することから、アンカーボルトに衝撃荷重が繰り返し加わり易く、その耐久性の確保が難しくなるとともに、車両走行性の点でも不利になる。
【０００８】
部品の交換に関しては、フェイスプレートをアンカーボルトから外すと、シール板の交換を行なうことができるものの、アンカーボルトの交換には、道路橋端部のコンクリートを大きく斫りとる必要があり、交換作業を短時間に完了することができない。しかも、新たに打設したアンカーボルト定着用コンクリートの養生に時間がかかるために、部品交換のための交通規制の解除も遅れるという問題がある。
【０００９】
一方、特許文献２に記載されている伸縮継手の場合、フェイスプレートとアングル板の水平プレート部との間にシール板を挟み込む構造であるため、特許文献１の伸縮継手と同じく、耐久性及び車両走行性に難がある。また、水平プレート部の溶接ボルトが繰り返し荷重によって傷んだ場合、アングル板そのものを交換する必要があり、特許文献１のアンカーボルトの交換と同様に、補修施工が面倒になるととともに、長時間を要すると言う問題がある。
【００１０】
以上から明らかなように、本発明の課題は、止水性の高い堅牢な道路橋用伸縮継手を提供することにある。
【００１１】
また、本発明の課題は、部品の交換を容易にした道路橋用伸縮継手を提供することにある。
【課題を解決するための手段】
【００１２】
請求項１に係る発明は、道路橋の継目部に設ける道路橋用伸縮継手であって、
各々上記継目部の長手方向に延び、上記道路橋の伸縮を許容する遊間を存して互いの板面が向かい合う一対の縦板と、
上記両縦板の頂面に掛け渡されて中央部が上記遊間に設けられ、両側部が上記両縦板の背面に保持されたシール板と、
上記両縦板各々に固定され、板面を横にして該縦板の背部に張り出したベースプレートと、
上記各ベースプレートの上に上記シール板の側部を介在させることなくボルトによって着脱自在に設置され、上記遊間側の縁が上記シール板の上記縦板頂面に掛けられた部分に被さるように設けられたフェイスプレートとを備えていることを特徴とする道路橋用伸縮継手である。
【００１３】
このような伸縮継手であれば、シール板は両縦板の頂面に掛け渡されて両側部が両縦板の背面側に回されているから、シール板と縦板との間に漏水を生ずるような隙間はできない。また、シール板の縦板頂面に掛けられた部分はフェイスプレートによって被われているから、車両のタイヤがシール板に触れることがなく、該シール板の損傷が防止される。
【００１４】
そうして、フェイスプレートをベースプレートの上にシール板を介在させることなく着脱自在に設置するようにしたから、輪荷重が作用してもフェイスプレートは上下動することがない。従って、車両走行性が良好になるとともに、ボルトに衝撃荷重が繰り返し加わることが避けられ、堅牢な伸縮装置が得られる。
【００１５】
また、ベースプレートからフェイスプレートを外すと、シール板を縦板の背面から外すことができる。このため、鋼材に比べて耐用年数が短い傾向にあるシール板を適宜短時間で交換することが容易になり、シール板の交換によって道路橋継目部の止水性を恒久的に維持していくことができる。
【００１６】
請求項２に係る発明は、請求項１において、
上記フェイスプレートには、上記シール板の側部を上記縦板の背面に当てて保持するシール押さえが設けられていることを特徴とする。
【００１７】
従って、シール板を縦板に接着ないしはボルト結合せずとも、フェイスプレートによってシール板を縦板に保持することができ、シール板の縦板への装着が容易になる。また、ベースプレートからフェイスプレートを外すと、シール押さえによるシール板の縦板への押さえが解除されるから、シール板を縦板から簡単に外すことができる。このため、傷んだシール板の交換に要する時間を大幅に短縮することができる。
【００１８】
請求項３に係る発明は、請求項１又は請求項２において、
上記ベースプレートには、上記ボルトの頭部又は該ボルトに適用するナットを該ベースプレートの上からその下へ通すための大径孔部と、該ベースプレートの下に通されたボルト頭部又はナットを横移動させて上記フェイスプレート締付け位置に位置付けるための、該ボルト頭部又はナットよりも小径の小径孔部とを有する組付用孔が設けられ、
上記ベースプレートの下面には、上記ボルト又はナットに伸縮継手定着用コンクリートが付着しないように該ボルト又はナットを保護する、上記組付用孔に沿って延びた保護キャップが設けられていることを特徴とする。
【００１９】
従って、フェイスプレート締付け用のボルト又はナットには伸縮継手定着用コンクリートが付着しないので、当該ボルト及びナットによるフェイスプレートの締付けを解いてフェイスプレートをベースプレートから外すと、そのボルト又はナットを締付け位置から大径孔部に移動させて上方へ抜き取ることができる。すなわち、ボルト又はナットが傷んだとき、上記定着用コンクリートを斫ることなく、その傷んだボルト又はナットを外して新たなボルト及びナットに交換することができ、その交換作業に要する時間を大幅に短縮することができる。
【発明の効果】
【００２０】
以上のように、請求項１に係る発明によれば、相対する両縦板の頂面にシール板を掛け渡してその両側部を両縦板の背面に保持する一方、両縦板各々に背部に張り出したベースプレートの上に上記シール板の側部を介在させることなくフェイスプレートをボルトによって着脱自在に設置し、このフェイスプレートの遊間側の縁がシール板の上記縦板頂面に掛けられた部分に被さるようにしたから、タイヤによるシール板の損傷を招かず、輪荷重によるフェイスプレートの上下動も招かない堅牢で且つ車両走行性及び止水性が高い伸縮装置を得ることができ、しかもシール板を短時間で交換することができ、道路橋継目部の止水性の維持が容易になる。
【００２１】
請求項２に係る発明によれば、上記フェイスプレートには、上記シール板の側部を上記縦板の背面に当てて保持するシール押さえが設けられているから、シール板を接着ないしはボルト結合によらず、フェイスプレートによって縦板に保持することができるとともに、シール板の交換に要する時間を大幅に短縮することができる。
【００２２】
請求項３に係る発明によれば、上記ベースプレートには、大径孔部を有する組付用孔が設けられ、ベースプレートの下面には、ボルトの頭部又はナットを保護する保護キャップが設けられているから、ボルト又はナットに伸縮継手定着用コンクリートが付着することが避けられるとともに、上記大径孔部からボルトの頭部又はナットを抜き差しすることができるので、上記定着用コンクリートを斫ることなく、ボルト及びナットを簡単に交換することができ、その交換作業に要する時間を大幅に短縮することができる。
【発明を実施するための最良の形態】
【００２３】
以下、本発明の実施形態を図面に基づいて説明する。尚、以下の好ましい実施形態の説明は、本質的に例示に過ぎず、本発明、その適用物或いはその用途を制限することを意図するものではない。
【００２４】
−実施形態１−
（伸縮継手及びこれを設置した道路橋継目部の構造）
図１は本発明に係る伸縮継手１を設置した道路橋継目部を示す。同図において、２は道路橋本体（コンクリート床版又はコンクリート桁）、３は舗装である。伸縮継手１は、一対の鋼製縦板４、ゴム等による可撓性のシール板５、一対の鋼製ベースプレート６及び一対の鋼製フェイスプレート７を備えて構成されている。この伸縮継手１は、遊間両側の道路橋本体２の端部に形成された切欠段部８に後打ちコンクリート（定着用コンクリート）９を打設することにより、道路橋本体２に固定されている。
【００２５】
縦板４は、図２に破線で示すように、波状に曲折して道路橋継目部の長手方向（道路橋幅員方向）に延びている。一対の縦板４は道路橋の伸縮を許容する波形遊間２０が形成されるように互いの凹面と凸面とを向かい合わせて配設されている。一対の縦板４各々の相手側へ突出した凸部の下端には台形状の底板１０が接合されている。図３に示すように、各縦板４の背面にはアンカー１１が突設されている。各縦板４の上部背面には、シール板５を止めるための突起１２が設けられている。アンカー１１及び突起１２は継目部の長手方向に間隔をおいて複数設けられている。
【００２６】
シール板５は、道路橋継目部の長手方向に延び、両縦板４，４の頂面に掛け渡されて、その中央部が上記波形遊間２０に設けられ、両側部５ａ，５ａが両縦板４，４の背面に回されている。シール板５の中央部は、波形遊間２０において略Ｖ字状ないしは略Ｕ字状に撓ませて溝形状になっている。図３に示すように、シール板５の側部５ａには、縦板４の背面の突起１２を通す係合孔１３が形成されている。係合孔１３は、突起１２に対応させて継目部の長手方向に間隔をおいて複数形成されている。
【００２７】
図３及び図４に示すように、ベースプレート６は、縦板４の背面に継目部の長手方向に間隔をおいて固定された複数のリブプレート１５の上に固定されて、縦板４の背部に水平に張り出している。ベースプレート６の一側（遊間側）は縦板４の波形状に倣った波形に形成されていて、該一側と縦板４との間には所定幅の隙間１６が設けられている。ベースプレート６の反対側も、同じく波形に形成され、その側面にはアンカー１７が固定されている。リブプレート１５には継目長手方向に延びる通し筋１８を通す通し孔１９が形成されている。
【００２８】
ベースプレート６には、複数の組付用孔２１が継目部の長手方向に間隔をおいて設けられている。その組付用孔２１は、橋軸方向に長く延びており、その中央に図１及び図２に示すフェイスプレート締付け用のナット２３をベースプレート６の上からその下に通すための大径孔部２１ａを備え、該大径孔部２１ａより両側へ延びる小径孔部２１ｂ，２１ｂによって当該ナット２３を横移動させて両端のフェイスプレート締付け位置に位置付けることができるようになされている。大径孔部２１ａは、ナット２３の二面幅よりも大径に（本実施例では図５等に示すワッシャ２７よりも大径に）形成され、小径孔部２１ｂは、そのナット２３の二面幅よりも小径で且つボルト軸部よりも大径に形成されている。
【００２９】
ベースプレート６の下面には、ボルト２２及びナット２３に伸縮継手定着用コンクリートが付着しないように該ボルト２２及びナット２３を保護する、上記組付用孔に沿って延びた保護キャップ２５が固定されている。本例の保護キャップ２５は、橋軸方向に長い箱状のものであり、図５及び図６に示すように、両側部にナット２３の空回りを阻止する回り止め２６，２６が設けられている。両側の相対する回り止め２６，２６の間隔はナット２３の二面幅に相当する寸法（二面幅よりも若干大きく、対角長さよりも小さい寸法）になされている。回り止め２６とベースプレート６の下面との間にはワッシャ２７を配置する隙間が形成されている。また、保護キャップ２５には、ナット２３を受けるナット受け２４，２４が回り止め２６，２６に沿って設けられている。相対するナット受け２４，２４の間隔はボルト２２の軸部よりも大きくなっている。
【００３０】
フェイスプレート７は、図２に示すように、その一側（遊間側）が縦板４の波形状に倣った波形に形成され、反対側も同じく波形に形成されている。フェイスプレート７には、図３にも示すように、該フェイスプレート７をベースプレート６に締付けるボルト２２の頭部を収める段付孔２９が上記ベースプレート６の組付用孔２１の両端の締付け位置に対応させて複数設けられている。
【００３１】
フェイスプレート７の一側（遊間側）には、シール板５の上記縦板頂面に掛けられた部分に被さるカバー部７ａが設けられているとともに、シール板５の側部５ａを縦板４の背面に当てて保持する垂直なシール押さえ７ｂが設けられている。カバー部７ａはその厚さがフェイスプレート７の本体部の厚さよりも少し小さくなるように形成されている。シール押さえ７ｂの下部には、ベースプレート６の突起１２に干渉しないように下方へ開口した切欠き３０が形成されている。フェイスプレート７の表面にはすべり止め加工及び防食加工が施されている。
【００３２】
道路橋継目部においては、図２に示すように、一対の継手ユニット（一定長さの縦板４、ベースプレート６及びフェイスプレート７からなるユニット）の複数組が継目部の長手方向に並べ、互いの端面同士を突き合わせて配設されている。シール板５は、継目部の長手方向に並ぶ複数組の継手ユニットに亘って該長手方向に連続して延びている。シール板５は道路橋の継目部長手方向の全長に亘って連続させることが好ましい。
【００３３】
また、図１に示すように、フェイスプレート７と後打ちコンクリート９との隙間にはクッション材３１が介装され、ベースプレート６とフェイスプレート７のシール押さえ７ｂとの間にはクッション材３２が介装されている。
【００３４】
（伸縮継手の施工方法）
(1) 道路橋本体２，２の端部には路面よりも低くなった切欠段部８を形成する。ベースプレート６が固定された縦板４を切欠段部８に配置する。通し筋１８をリブプレート１５及びアンカー１１，１７に組み付け、縦板４の背部下端にはコンクリート漏れ防止板４１を設ける。
【００３５】
(2) シール板５を縦板４に組み付ける。すなわち、シール板５の中央部をＶ字状又はＵ字状に撓めて、シール板５を相対する縦板４の頂面に掛け渡す。図３に示すように、シール板５の両側部５ａを縦板４の背面に回し、シール板５の係合孔１３を縦板４の突起１２に嵌める。ベースプレート６の一側にはゴム板等のクッション材３２を配置する。
【００３６】
(3) フェイスプレート締付け用ナット２３をワッシャ２７と共にベースプレート６の上から組付用２１の大径孔部２１ａに通し、ナット２３をナット受け２４に載せ、ワッシャ２７を回り止め２６の上に載せる。ナット２３及びワッシャ２７を横移動させて、小径孔部２１ｂの端に位置付ける。各組付用孔２１の両端にナット２３及びワッシャ２７を配置した後、フェイスプレート７をベースプレート６の上に載置し、各ナット２３にボルト２２及びワッシャを適用してフェイスプレート７をベースプレート６に締付ける。このとき、回り止め２６により、ナット２３の空回りが阻止される。
【００３７】
これにより、シール板５は、その縦板４の頂面に掛けられた部分がフェイスプレート７のカバー部７ａによって該縦板頂面に押さえ付けられるとともに、その側部５ａがフェイスプレート７のシール押さえ７ｂによって縦板４の背面に押さえ付けられて保持される。
【００３８】
(4) 次いで、フェイスプレート７の外側面にゴム板等のクッション材３１を配置し、後打ちコンクリート９を切欠段部８に打設する。
【００３９】
（伸縮継手の補修）
シール板５が傷んだ場合、ボルト２２を外してフェイスプレート７をベースプレート６から取り外す。これにより、シール板５はフェイスプレート７による保持が解かれるから、縦板４から外すことができる。そうして、新たなシール板５に付け替えて、再びフェイスプレート７をベースプレート６に固定すればよい。
【００４０】
ボルト２２及びナット２３によるフェイスプレート７の締付けが悪くなった場合、同様にフェイスプレート７を外し、ナット２３をベースプレート６の組付用孔２１の小径孔部２１ｂから大径孔部２１ａに移動させ、この大径孔部２１ａから抜き取って、新しいボルト２２及びナット２３に替えることになる。この場合、ボルト２２の軸部及びナット２３は保護キャップ２５によって保護され、後打ちコンクリート９が付着することがないから、後打ちコンクリート９を斫ることなく、ボルト２２及びナット２３の交換を行なうことができる。
【００４１】
（作用効果）
従って、上記伸縮継手１が構築された道路橋継目部においては、シール板５は相対する縦板４，４の頂面に掛け渡されて両側部５ａ，５ａが両縦板４，４の背面側に回されているから、シール板５と縦板４との間には漏水を招くような隙間はできない。しかも、シール板５が継目部の長手方向に複数組の縦板４に亘って連続しているから、シール板同士の接続部がなくなり、漏水防止に有利になる。
【００４２】
また、シール板５の縦板４の頂面に掛けられた部分はフェイスプレート７のカバー部７ａによって被われているから、車両のタイヤがシール板５に触れることがない。よって、シール板５の損傷が防止される。
【００４３】
そうして、ベースプレート６の上にシール板５の側部を介在させることなく、フェイスプレート７をベースプレート６に直接載置して締付けるから、車両が通過するたびにフェイスプレート７が上下動することがない。従って、車両走行性が良好になるとともに、ボルト２２に衝撃荷重が繰り返し加わることが避けられ、堅牢な伸縮装置となる。
【００４４】
また、上記施工方法においては、シール板５の両側部５ａ，５ａの係合孔１３を縦板４の背面の突起１２に掛けることにより、該シール板５を両側の縦板４，４に仮保持することができる。従って、シール板５が複数組の縦板４に亘って連続した長いものになっても、シール板５の縦板４への取付は容易である。しかも、当該仮保持により、フェイスプレート７のベースプレート６への取り付け作業が容易になる。そうして、このフェイスプレート７の取り付けによって、シール板５を縦板４に簡単に且つ確実に固定することができる。
【００４５】
また、フェイスプレート７をベースプレート６から外すことによって、シール板５を交換することができ、さらに、コンクリート９を斫ることなく、ボルト２２及びナット２３を交換することができ、それら交換作業を短時間で終えることができる。
【００４６】
−実施形態２−
本実施形態はスパンの短い道路橋に適した簡易型の伸縮継手１に関し、図７及び図８に示す。縦板４として、先の実施形態１では波形板を採用したが、本実施形態では継目部長手方向に直線状に延びる平板を採用している。従って、ベースプレート６もその一側（遊間側）は継目部長手方向に直線状に延びており、本例の場合は、ベースプレート６の他側も継目部長手方向に直線状に延ばしている。
【００４７】
フェイスプレート７は、図２に示すように、その一側（遊間側）及び他側共に波形に形成されているが、波のピッチは実施形態１のケースよりも小さくしている。また、実施形態１では、フェイスプレート７の一側（遊間側）に厚さが少し薄いカバー部７ａを形成したが、本実施形態のフェイスプレート７はその全幅に亘って同じ厚さに形成され、波形になった一側の凸部が相対する縦板４，４間に突出している。フェイスプレート７の波形になった他側の凸部はベースプレート６の他側よりも外側へ突出している。
【００４８】
実施形態１ではシール押さえ７ｂをフェイスプレート７に一体に設けたが、本実施形態では、フェイスプレート７とは別個独立したシール押さえ３５を採用している。このシール押さえ３５は板面を垂直にして継目部長手方向に直線状に延びる板によって形成されている。縦板４の背面にはシール板用の係合孔は設けていない。
【００４９】
具体的な図示は省略するが、縦板４へのベースプレート６の支持、該ベースプレート６の組付用孔２１、回り止め付保護キャップ２５、リブプレート１５など、他の構造は実施形態１と同じである。
【００５０】
施工にあたっては、実施形態１と同様にベースプレート６が固定された縦板４を切欠段部８に配置し、通し筋１８の配筋及び型枠材の設置を行なった状態で、後打ちコンクリート９を切欠段部８に打設して型枠材を外す。シール板５の設置に当たっては、その中央部をＶ字状又はＵ字状に撓めてシール板５を相対する縦板４の頂面に掛け渡し、シール板５の側部にシール押さえ３５を当てた状態で、このシール押さえ３５とベースプレート６との間にゴム板等のクッション材３２を挿入し、シール板５の側部を縦板４の背面に押さえ付ける。しかる後、実施形態１と同様にして、フェイスプレート７をベースプレート６に固定し、フェイスプレート７と後打ちコンクリート９との隙間にゴムシール材等のクッション材３１を詰める。
【００５１】
従って、本実施形態においては、縦板４及びベースプレート６はその両側は継目長手方向に直線状に延びたものであり、しかもシール押さえ３５がフェイスプレート７とは別体になった平板であるから、部品コストが下がり、実施形態１と同様の作用効果を得ながら、伸縮装置のコスト低減を図る上で有利になる。
【００５２】
−その他−
上記実施形態１ではベースプレート６及びフェイスプレート７各々の他側（遊間とは反対側）を波形に形成したが、継目長手方向に直線状に延びた形状にすることもできる。
【００５３】
上記実施形態２では、フェイスプレート７の両側を波形に形成したが、この両側を共に、或いはいずれか一方のみを継目長手方向に直線状に延びた形状にすることもできる。
【００５４】
また、ボルト２２の頭部をベースプレート６の大径孔部２１ａから保護キャップ２５内に入れ、ナット２３をフェイスプレート７の段付孔２９に配置してもよい。
【００５５】
なお、道路橋と橋台との継目部に伸縮継手１を施工するときは、道路橋本体２の端部と橋台とに切欠段部を形成し、上述の道路橋同士の継目部の場合と同様に行なえばよい。
【図面の簡単な説明】
【００５６】
【図１】本発明の実施形態１に係る伸縮継手を設置した道路橋継目部の断面図である。
【図２】同道路橋継目部の平面図である。
【図３】同伸縮継手のベースプレートにフェイスプレートを組み付ける状態を示す断面図を示す断面図である。
【図４】同伸縮継手の縦板及びベースプレートを示す平面図である。
【図５】同伸縮継手の保護キャップ部分を示す断面図である。
【図６】同伸縮継手の保護キャップとボルト・ワッシャとの関係を示す平面図である。
【図７】本発明の実施形態２に係る伸縮継手を設置した道路橋継目部の断面図である。
【図８】同道路橋継目部の平面図である。
【符号の説明】
【００５７】
１    伸縮継手
２    道路橋本体
３    舗装
４    縦板
５    シール板
５ａ    側部
６    ベースプレート
７    フェイスプレート
７ｂ    シール押さえ
９    コンクリート
２１    組付用孔
２１ａ    大径孔部
２１ｂ    小径孔部
２２    ボルト
２３    ナット
２５    保護キャップ
３５    シール押さえ
【図１】
0004421647.tif 000002
【図２】
0004421647.tif 000003
【図３】
0004421647.tif 000004
【図４】
0004421647.tif 000005
【図５】
0004421647.tif 000006
【図６】
0004421647.tif 000007
【図７】
0004421647.tif 000008
【図８】
0004421647.tif 000009